(57)【要約】【課題】  予め指定されたコンテンツ送信装置から特定のコンテンツ受信装置に該当コンテンツを配信できるようする。【解決手段】  データファイル更新配信センタ４は、配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報が指定された配信管理情報を作成する。この配信管理情報に登録された送信機情報で特定されるコンテンツ送信装置毎に、コンテンツ特定情報と識別情報を対応付けた配信許諾情報と、配信すべきコンテンツ本体を配信する。【選択図】        図１
2005339024.tif 000002
【特許請求の範囲】
【請求項１】
サーバ装置から複数のコンテンツ送信装置にコンテンツを配信し、各コンテンツ送信装置とコンテンツ受信装置の間で通信を行いコンテンツを配信するコンテンツ配信システムにおいて、
前記サーバ装置は、
あらかじめ指定された配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報を少なくとも登録して配信管理情報を作成し、
前記配信管理情報に登録された前記送信機情報で特定されるコンテンツ送信装置毎に、少なくとも前記コンテンツ特定情報と前記識別情報を対応付けた配信許諾情報と、配信すべきコンテンツ本体を配信する配信管理手段を備えた
ことを特徴とするコンテンツ配信システム。
【請求項２】
前記各コンテンツ送信装置の属性を管理する属性管理情報が登録され、前記配信管理手段は、指定された条件を満たす単数あるいは複数の前記コンテンツ送信装置を特定して、前記配信管理情報を作成する
ことを特徴とする請求項１記載のコンテンツ配信システム。
【請求項３】
前記コンテンツ送信装置は、前記サーバ装置から配信された前記配信許諾情報と配信すべきコンテンツを保存し、
前記配信許諾情報で特定されたコンテンツ受信装置からダウンロード要求を受信すると、該当コンテンツを配信する
ことを特徴とする請求項１記載のコンテンツ配信システム。
【請求項４】
前記コンテンツ受信装置は、コンテンツのダウンロード要求として、自機を特定する前記識別情報を前記コンテンツ送信装置に通知し、
前記コンテンツ送信装置は、前記コンテンツ受信装置から受信した前記識別情報が、前記配信許諾情報に登録されている場合はコンテンツを配信する
ことを特徴とする請求項３記載のコンテンツ配信システム。
【請求項５】
前記コンテンツ送信装置と前記コンテンツ受信装置の少なくとも一方に、配信可否情報を利用者に通知する通知手段を備えた
ことを特徴とする請求項３記載のコンテンツ配信システム。
【請求項６】
前記配信可否情報として、前記配信許諾情報に登録される前記識別情報の有無から、前記コンテンツ受信端末が配信許諾されているか否かが通知される
ことを特徴とする請求項５記載のコンテンツ配信システム。
【請求項７】
前記コンテンツ送信装置から前記コンテンツ受信装置へ通信を行う光通信手段と、
前記コンテンツ受信装置から前記コンテンツ送信装置へ通信を行う無線通信手段とを備えた
ことを特徴とする請求項３記載のコンテンツ配信システム。
【請求項８】
前記光通信手段は、一対の発光手段および受光手段を備え、前記発光手段と前記受光手段が対向する位置へガイドして前記コンテンツ送信装置と前記コンテンツ受信装置を着脱自在に結合する光結合手段を備えた
ことを特徴とする請求項７記載のコンテンツ配信システム。
【請求項９】
前記コンテンツ送信装置は、前記コンテンツ受信装置の装着の有無を検出する装着検出手段を備え、
前記コンテンツ送信装置は、前記装着検出手段で前記コンテンツ受信装置の装着を検出すると、前記発光手段の出力処理を開始する
ことを特徴とする請求項８記載のコンテンツ配信システム。
【請求項１０】
前記コンテンツ受信装置は、前記受光手段による光の受光の有無を検出する光検出手段を備え、
前記コンテンツ受信装置は、前記光検出手段で光を検出すると、受信処理を開始する
ことを特徴とする請求項８記載のコンテンツ配信システム。
【請求項１１】
前記コンテンツ送信装置から前記コンテンツ受信装置へ通信を行う第１の無線通信手段と、
前記コンテンツ受信装置から前記コンテンツ送信装置へ通信を行う第２の無線通信手段とを備えた
ことを特徴とする請求項３記載のコンテンツ配信システム。
【請求項１２】
前記コンテンツ送信装置から前記コンテンツ受信装置へ通信を行う無線通信手段と、
前記コンテンツ受信装置から前記コンテンツ送信装置へ通信を行う光通信手段とを備えた
ことを特徴とする請求項３記載のコンテンツ配信システム。
【請求項１３】
前記配信管理情報が前記各コンテンツ送信装置に配信され、
前記各コンテンツ送信装置は、自機以外のコンテンツ送信装置に配信されたコンテンツを特定する配信情報管理手段を備えた
ことを特徴とする請求項１記載のコンテンツ配信システム。
【請求項１４】
前記配信情報管理手段は、前記コンテンツ受信装置の識別情報と該当コンテンツのコンテンツ特定情報の通知を受けて前記配信許諾情報を作成する
ことを特徴とする請求項１３記載のコンテンツ配信システム。
【請求項１５】
コンテンツ送信装置とコンテンツ受信装置の間で通信を行いコンテンツを配信するコンテンツ配信システムにおいて、
前記コンテンツ送信装置は、配信すべきコンテンツを特定するコンテンツ特定情報と、該当コンテンツの配信を許諾するコンテンツ受信装置を特定する識別情報が少なくとも指定されて対応付けられた配信許諾情報が配信されて登録され、
前記配信許諾情報で特定されたコンテンツ受信装置からコンテンツのダウンロード要求を受信すると、該当コンテンツを配信する
ことを特徴とするコンテンツ配信システム。
【請求項１６】
前記コンテンツ受信装置は、コンテンツのダウンロード要求として、自機を特定する前記識別情報を前記コンテンツ送信装置に通知し、
前記コンテンツ送信装置は、前記コンテンツ受信装置から受信した前記識別情報が、前記配信許諾情報に登録されている場合はコンテンツを配信する
ことを特徴とする請求項１５記載のコンテンツ配信システム。
【請求項１７】
前記コンテンツ送信装置から前記コンテンツ受信装置へ通信を行う光通信手段と、
前記コンテンツ受信装置から前記コンテンツ送信装置へ通信を行う無線通信手段とを備えた
ことを特徴とする請求項１５記載のコンテンツ配信システム。
【請求項１８】
前記光通信手段は、一対の発光手段および受光手段を備え、前記発光手段と前記受光手段が対向する位置へガイドして前記コンテンツ送信装置と前記コンテンツ受信装置を着脱自在に結合する光結合手段を備えた
ことを特徴とする請求項１７記載のコンテンツ配信システム。
【請求項１９】
複数のコンテンツ送信装置にコンテンツを配信するサーバ装置において、
あらかじめ指定された配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報を少なくとも登録して配信管理情報を作成し、
前記配信管理情報に登録された前記送信機情報で特定されるコンテンツ送信装置毎に、少なくとも前記コンテンツ特定情報と前記識別情報を対応付けた配信許諾情報と、配信すべきコンテンツ本体を配信する配信管理手段を備えた
ことを特徴とするサーバ装置。
【請求項２０】
前記各コンテンツ送信装置の属性を管理する属性管理情報が登録され、前記配信管理手段は、指定された条件を満たす単数あるいは複数の前記コンテンツ送信装置を特定して、前記配信管理情報を作成する
ことを特徴とする請求項１９記載のサーバ装置。
【請求項２１】
コンテンツ受信装置と通信してコンテンツを配信するコンテンツ送信装置において、
配信すべきコンテンツを特定するコンテンツ特定情報と、該当コンテンツの配信を許諾するコンテンツ受信装置を特定する識別情報が少なくとも指定されて対応付けられた配信許諾情報が配信されて登録され、
前記配信許諾情報で特定されたコンテンツ受信装置からコンテンツのダウンロード要求を受信すると、該当コンテンツを配信する
ことを特徴とするコンテンツ送信装置。
【請求項２２】
配信可否情報を利用者に通知する通知手段を備えた
ことを特徴とする請求項２１記載のコンテンツ送信装置。
【請求項２３】
自機以外の送信装置に配信されたコンテンツを特定する配信情報管理手段を備えた
ことを特徴とする請求項２１記載のコンテンツ送信装置。
【請求項２４】
前記配信情報管理手段は、前記コンテンツ受信装置の識別情報と該当コンテンツのコンテンツ特定情報の通知を受けて前記配信許諾情報を作成する
ことを特徴とする請求項２１記載のコンテンツ送信装置。
【請求項２５】
コンテンツ送信装置と通信してコンテンツを受信するコンテンツ受信装置において、
コンテンツのダウンロード要求として、自機を特定する識別情報を前記コンテンツ送信装置に通知する
ことを特徴とするコンテンツ受信装置。
【請求項２６】
前記コンテンツ送信装置から通知される配信可否情報を利用者に通知する通知手段を備えた
ことを特徴とする請求項２５記載のコンテンツ受信装置。
【請求項２７】
サーバ装置から複数のコンテンツ送信装置にコンテンツを配信し、各コンテンツ送信装置とコンテンツ受信装置の間で通信を行いコンテンツを配信するコンテンツ配信方法において、
前記サーバ装置は、あらかじめ指定された配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報を少なくとも登録して配信管理情報を作成し、
前記配信管理情報に登録された前記送信機情報で特定されるコンテンツ送信装置毎に、少なくとも前記コンテンツ特定情報と前記識別情報を対応付けた配信許諾情報と、配信すべきコンテンツ本体を配信する
ことを特徴とするコンテンツ配信方法。
【請求項２８】
前記コンテンツ送信装置は、前記サーバ装置から配信された前記配信許諾情報と配信すべきコンテンツを保存し、
前記配信許諾情報で特定されたコンテンツ受信装置からダウンロード要求を受信すると、該当コンテンツを配信する
ことを特徴とする請求項２７記載のコンテンツ配信方法。
【請求項２９】
前記コンテンツ受信装置は、コンテンツのダウンロード要求として、自機を特定する前記識別情報を前記コンテンツ送信装置に通知し、
前記コンテンツ送信装置は、前記コンテンツ受信装置から受信した前記識別情報が、前記配信許諾情報に登録されている場合はコンテンツを配信する
ことを特徴とする請求項２７記載のコンテンツ配信方法。
【発明の詳細な説明】
【技術分野】
【０００１】
本発明は、コンテンツの配信を行うコンテンツ配信システム、このコンテンツ配信システムを構成するサーバ装置とコンテンツ送信装置およびコンテンツ受信装置と、コンテンツ配信方法に関する。詳しくは、予め指定されたコンテンツ送信装置から特定のコンテンツ受信装置に該当コンテンツを配信できるようにしたものである。
【背景技術】
【０００２】
街頭等の公共性の高い場所でコンテンツ配信を実現するためには、不特定多数のユーザが利用するため、簡単な操作でかつ短時間でコンテンツを配信することが求められる。
【０００３】
コンテンツの伝送手段として電気的なケーブルを利用する方式では、大容量のコンテンツを短時間で配信することができない。そこで、光通信を利用したコンテンツ配信システムが提案されている
コンテンツの伝送手段として光通信を利用する方式では、まず、光ファイバケーブルの使用が考えられる。しかし、光ファイバケーブルのコネクタは繰り返しの着脱に対する耐久性が低く、不特定多数のユーザが利用するシステムには適さない。
【０００４】
このため、非接触で光通信を行えるようにしたシステムも提案されている（例えば、特許文献１参照。）。
【０００５】
【特許文献１】特開２００３−２５８７３７号公報
【発明の開示】
【発明が解決しようとする課題】
【０００６】
コンテンツの配信側と受信側の通信を光通信で行うことで、大容量のコンテンツの配信は可能となる。しかし、配信側でのコンテンツの記憶容量には限界があることから、扱うコンテンツが大容量化すると、配信するコンテンツを管理する機能が必要となってくる。
【０００７】
特に、不特定多数のユーザが利用するシステムでは、異なるコンテンツを配信する必要性があるので、配信するコンテンツを管理する機能が必要である。
【０００８】
本発明は、このような課題を解決するためになされたもので、予め指定されたコンテンツ送信装置から特定のコンテンツ受信装置に該当コンテンツを配信できるようにしたコンテンツ配信システム、このコンテンツ配信システムを構成するサーバ装置とコンテンツ送信装置およびコンテンツ受信装置と、コンテンツ配信方法を提供することを目的とする。
【課題を解決するための手段】
【０００９】
上述した課題を解決するため、本発明に係るコンテンツ配信システムは、サーバ装置から複数のコンテンツ送信装置にコンテンツを配信し、各コンテンツ送信装置とコンテンツ受信装置の間で通信を行いコンテンツを配信するコンテンツ配信システムにおいて、サーバ装置は、あかじめ指定された配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報を少なくとも登録して配信管理情報を作成し、配信管理情報に登録された送信機情報で特定されるコンテンツ送信装置毎に、少なくともコンテンツ特定情報と識別情報を対応付けた配信許諾情報と、配信すべきコンテンツ本体を配信する配信管理手段を備えたものである。
【００１０】
本発明に係るコンテンツ配信システムでは、サーバ装置は、配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報の登録を受けて配信管理情報を作成する。
【００１１】
サーバ装置は、配信管理情報に登録された送信機情報で特定されるコンテンツ送信装置毎に、コンテンツ特定情報と識別情報を対応付けた配信許諾情報を作成し、配信すべきコンテンツ本体と共に該当コンテンツ送信装置に配信する。
【００１２】
また、本発明に係るコンテンツ配信システムは、コンテンツ送信装置とコンテンツ受信装置の間で通信を行いコンテンツを配信するコンテンツ配信システムにおいて、コンテンツ送信装置は、配信すべきコンテンツを特定するコンテンツ特定情報と、該当コンテンツの配信を許諾するコンテンツ受信装置を特定する識別情報が少なくとも指定されて対応付けられた配信許諾情報が配信されて登録され、配信許諾情報で特定されたコンテンツ受信装置からコンテンツのダウンロード要求を受信すると、該当コンテンツを配信するものである。
【００１３】
本発明に係るコンテンツ配信システムでは、コンテンツ送信装置は配信許諾情報が登録されることで、配信すべきコンテンツを特定するコンテンツ特定情報と、該当コンテンツの配信を許諾するコンテンツ受信装置を特定する識別情報を認識している。
【００１４】
コンテンツ受信装置からコンテンツのダウンロード要求を受けると、そのコンテンツ受信装置がコンテンツの配信が許諾されているか判断する。そして、コンテンツの配信を許諾したコンテンツ受信装置に対して該当コンテンツの配信を行う。
【００１５】
本発明に係るサーバ装置は、複数のコンテンツ送信装置にコンテンツを配信するサーバ装置において、あらかじめ指定された配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報を少なくとも登録して配信管理情報を作成し、配信管理情報に登録された送信機情報で特定されるコンテンツ送信装置毎に、少なくともコンテンツ特定情報と識別情報を対応付けた配信許諾情報と、配信すべきコンテンツ本体を配信する配信管理手段を備えたものである。
【００１６】
本発明に係るサーバ装置は、配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報の登録を受けて配信管理情報を作成する。
【００１７】
そして、配信管理情報に登録された送信機情報で特定されるコンテンツ送信装置毎に、コンテンツ特定情報と識別情報を対応付けた配信許諾情報を作成し、配信すべきコンテンツ本体と共に該当コンテンツ送信装置に配信する。
【００１８】
本発明に係るコンテンツ送信装置は、コンテンツ受信装置と通信してコンテンツを配信するコンテンツ送信装置において、配信すべきコンテンツを特定するコンテンツ特定情報と、該当コンテンツの配信を許諾するコンテンツ受信装置を特定する識別情報が少なくとも指定されて対応付けられた配信許諾情報が配信されて登録され、配信許諾情報で特定されたコンテンツ受信装置からコンテンツのダウンロード要求を受信すると、該当コンテンツを配信するものである。
【００１９】
本発明に係るコンテンツ送信装置では、配信許諾情報が登録されることで、配信すべきコンテンツを特定するコンテンツ特定情報と、該当コンテンツの配信を許諾するコンテンツ受信装置を特定する識別情報を認識している。
【００２０】
コンテンツ受信装置からコンテンツのダウンロード要求を受けると、そのコンテンツ受信装置がコンテンツの配信が許諾されているか判断する。そして、コンテンツの配信を許諾したコンテンツ受信装置に対して該当コンテンツの配信を行う。
【００２１】
本発明に係るコンテンツ受信装置は、コンテンツ送信装置と通信してコンテンツを受信するコンテンツ受信装置において、コンテンツのダウンロード要求として、自機を特定する識別情報をコンテンツ送信装置に通知するものである。
【００２２】
本発明に係るコンテンツ受信装置では、特定のコンテンツのダウンロード要求として、自機を特定する識別情報をコンテンツ送信装置に通知する。
【００２３】
本発明に係るコンテンツ配信方法は、サーバ装置から複数のコンテンツ送信装置にコンテンツを配信し、各コンテンツ送信装置とコンテンツ受信装置の間で通信を行いコンテンツを配信するコンテンツ配信方法において、サーバ装置は、あらかじめ指定された配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報を少なくとも登録して配信管理情報を作成し、配信管理情報に登録された送信機情報で特定されるコンテンツ送信装置毎に、少なくともコンテンツ特定情報と識別情報を対応付けた配信許諾情報と、配信すべきコンテンツ本体を配信するようにしたものである。
【００２４】
本発明に係るコンテンツ配信方法では、サーバ装置において、配信すべきコンテンツを特定するコンテンツ特定情報と、該当コンテンツを配信すべきコンテンツ送信装置を特定する送信機情報と、該当コンテンツの配信を許諾するコンテンツ受信装置を特定する識別情報の登録を受けて配信管理情報が作成される。
【００２５】
そして、配信管理情報に登録された送信機情報で特定されるコンテンツ送信装置毎に、コンテンツ特定情報と識別情報を対応付けた配信許諾情報が作成され、配信すべきコンテンツ本体と共に該当コンテンツ送信装置に配信される。
【発明の効果】
【００２６】
本発明によれば、複数のコンテンツ送信装置の中で、コンテンツの配信要求のあったコンテンツ送信装置に対してコンテンツを配信することができる。そして、指定されたコンテンツ送信装置から特定のコンテンツ受信装置に該当コンテンツを配信することができる。
【００２７】
これにより、複数のコンテンツ送信装置の全てに同一のコンテンツを配信する必要がなく、伝送コストを抑えることができる。
【００２８】
また、コンテンツの提供者側は、コンテンツを配信するコンテンツ送信装置等をコントロールできるので、サーバ装置とコンテンツ送信装置の間、およびコンテンツ送信装置とコンテンツ受信装置の間でのコンテンツの配信を最適化できる。
【００２９】
また、コンテンツを受ける側は、所望のコンテンツ送信装置を指定してコンテンツのダウンロードを受けることができるので、利便性が向上する。
【００３０】
また、本発明に係るコンテンツ送信装置では、配信先が決まっているコンテンツを保存すれば良いので、配信先の決まっていないコンテンツを保存する必要がなく、保存するコンテンツを減らすことができる。これにより、扱うコンテンツが容量の大きなデータファイルであっても、記憶装置の容量を抑えた構成としてコストを低減させることができる。
【００３１】
更に、本発明に係るコンテンツ受信装置では、ダウンロード要求を自機の識別番号により行うので、コンテンツの配信を受ける際にコンテンツを指定する情報の入力操作が不要で、操作が容易であるので、短時間でコンテンツの配信を受けることができる。
【発明を実施するための最良の形態】
【００３２】
以下、図面を参照して本発明のコンテンツ配信システム、サーバ装置、コンテンツ送信装置、コンテンツ受信装置およびコンテンツ配信方法の実施の形態について説明する。
【００３３】
＜コンテンツ配信システムの概要＞
図１は本実施の形態のコンテンツ配信システムの概要を示す構成図である。本実施の形態のコンテンツ配信システム１は、ユーザが所有する携帯受信端末２に、街頭等に設置した末端送信機３で映像や音楽等のコンテンツを配信する構成である。
【００３４】
特定の携帯受信端末２に対して特定の末端送信機３で指定のコンテンツを配信するため、携帯受信端末２のユーザによって所望のコンテンツの配信をどの末端送信機３で受けたいかが予め指定され、該当末端送信機３は、指定コンテンツを特定の携帯受信端末２へ配信できるようにする。
【００３５】
このため、末端送信機３にコンテンツを配信するデータファイル更新配信センタ４は、ユーザ等より指定された末端送信機３に該当コンテンツを配信する。
【００３６】
携帯受信端末２と末端送信機３は、例えば光通信や無線通信によってコンテンツのデータファイルの送受信を行う。ここで、末端送信機３から携帯受信端末２への通信をダウンリンク、携帯受信端末２から末端送信機３への通信をアップリンクと称す。
【００３７】
＜コンテンツ配信システムの具体的構成例＞
図２は第１の実施の形態のコンテンツ配信システム１Ａの構成例を示すブロック図で、まず、末端送信機３Ａと携帯受信端末２Ａの具体的な構成例について説明する。
【００３８】
ここで、本例ではダウンリンクチャネルを空間伝送による光通信で実現し、アップリンクチャネルは無線通信で実現する。このように、ダウンリンクチャネルとアップリンクチャネルを非対称とすることで、簡単な構成の光結合手段を利用して、携帯受信端末２Ａと末端送信機３Ａを着脱自在な構成とし、かつ末端送信機３Ａから高速通信で携帯受信端末２Ａへコンテンツを配信できるようにする。
【００３９】
末端送信機３Ａの構成から説明すると、末端送信機３Ａは、発光部１１、キャッシュメモリ１２、ブリッジＩＣ１３、シリアライザ１４を備える。発光部１１はダウンリンク用送信デバイスの一例で、光通信手段を構成する。発光部１１は発光手段としてレーザダイオード１５を備えて、電気信号を光信号に変換して出力する。
【００４０】
キャッシュメモリ１２はいわゆる高速ストレージデバイスの一例で、ＲＡＭ等で構成され、レーザダイオード１５から出力するコンテンツのデータファイルを格納する。
【００４１】
ブリッジＩＣ１３はキャッシュメモリ１２からデータファイルを読み出す。また、キャッシュメモリ１２にデータファイルを書き込む。
【００４２】
シリアライザ１４はキャッシュメモリ１２からブリッジＩＣ１３により読み出されたデータファイルを、パラレルデータからシリアルデータに変換してレーザダイオード１５に送る。
【００４３】
また、末端送信機３Ａは主記憶装置１６、システムコントローラ１７、メモリ１８、外部Ｉ／Ｏ１９を備える。主記憶装置１６はいわゆる低速ストレージデバイスの一例で、例えばハードディスクドライブ装置（ＨＤＤ）等で構成され、キャッシュメモリ１２に格納するデータファイルを格納する。
【００４４】
システムコントローラ１７はＣＰＵ等で構成され、ダウンロード要求のあった携帯受信端末２Ａが配信許諾されているか否かの判断、およびキャッシュメモリ１２に格納した所定のデータファイルのレーザダイオード１５からの出力等の制御を行う。
【００４５】
メモリ１８はＲＡＭおよびＲＯＭ等で構成され、システムコントローラ１７で実行されるプログラム等を格納する。外部Ｉ／Ｏ１９は入出力手段の一例で、例えばディスプレイである。
【００４６】
更に、末端送信機３Ａは、無線通信部２０とネットワーク通信部２１を備える。無線通信部２０はアップリンク用受信デバイスの一例で、無線通信手段を構成する。無線通信部２０は携帯受信端末２Ａと通信を行うので、近距離通信が出来れば良く、例えばＢｌｕｅｔｏｏｔｈやＩＥＥＥ８０２．１１の使用が考えられる。なお、ＢｌｕｅｔｏｏｔｈとＩＥＥＥ８０２．１１は干渉しないので、２つの通信機能を備えてもよい。
【００４７】
ネットワーク通信部２１はデータファイル更新配信センタ４と例えばインターネットや専用回線等を介して接続され、データファイル更新配信センタ４との間で通信を行う。
【００４８】
また、末端送信機３Ａは、検出スイッチ２２とインジケータ２４を備える。検出スイッチ２２は装着検出手段の一例で、例えば一対の受発光素子を備えた光センサ等で構成される。なお、検出スイッチ２２は携帯受信端末２Ａの装着を検出できれば良く、携帯受信端末２Ａとの通信が行えるか否かを検出する必要はない。
【００４９】
インジケータ２４は通知手段の一例で、例えば発光ダイオード等のランプで構成され、任意のユーザの携帯受信端末２Ａからコンテンツの取得要求があった場合に、配信許諾されているか否か等を通知する。
【００５０】
ここで、インジケータ２４で２つの状態を表示できれば、配信許諾している旨と、配信許諾していない旨をユーザに通知できる。例えば、インジケータ２４が単色の１個のランプであれば、点灯と点滅等で２つの状態が表すことができる。また、インジケータ２４が発光色の異なる２個のランプ、あるいは２色に発光できる１個のランプであれば、発光色の違いで２つの状態を表すことができる。
【００５１】
なお、外部Ｉ／Ｏ１９としてディスプレイを備える場合は、配信許諾の有無等をディスプレイに表示しても良い。この場合は、ディスプレイが通知手段となる。
【００５２】
次に、携帯受信端末２Ａの構成について説明する。携帯受信端末２Ａは受光部２５、キャッシュメモリ２６、ブリッジＩＣ２７、デシリアライザ２８を備える。受光部２５はダウンリンク用受信デバイスの一例で、発光部１１と対になって光通信手段を構成する。受光部２５は受光手段としてフォトディテクタ２９を備えて、受光した光信号を電気信号に変換する。
【００５３】
キャッシュメモリ２６は高速ストレージデバイスの一例で、ＲＡＭ等で構成され、末端送信機３Ａから受信したデータファイルを格納する。ブリッジＩＣ２７はキャッシュメモリ２６にデータファイルを書き込む。また、キャッシュメモリ２６からデータファイルを読み出す。
【００５４】
デシリアライザ２８はフォトディテクタ２９で電気信号に変換されたデータファイルを、シリアルデータからパラレルデータに変換してブリッジＩＣ２７に送る。
【００５５】
また、携帯受信端末２Ａはシステムコントローラ３０、メモリ３１、外部Ｉ／Ｏ３２を備える。システムコントローラ３０はＣＰＵ等で構成され、フォトディテクタ２９で受信したデータファイルのキャッシュメモリ２６への格納、キャッシュメモリ２６に格納したデータファイルの読み出し等の制御を行う。メモリ３１はＲＡＭおよびＲＯＭ等で構成され、システムコントローラ３０で実行されるプログラム等を格納する。外部Ｉ／Ｏ３２は入出力手段の一例で、例えばディスプレイである。
【００５６】
更に、携帯受信端末２Ａはレーザセンサ３３とインジケータ３４を備える。レーザセンサ３３は光検出手段の一例で、フォトディテクタ２９がレーザ光を受信したか否かを検出する。インジケータ３４は通知手段の一例で、例えば発光ダイオード等のランプで構成され、自機が配信許諾されているか否か等を通知する。
【００５７】
ここで、インジケータ３４でも２つの状態を表示できれば配信許諾の有無をユーザに通知できる。例えば、インジケータ３４が単色の１個のランプであれば、点灯と点滅等で２つの状態が表すことができる。また、インジケータ３４が発光色の異なる２個のランプ、あるいは２色に発光できる１個のランプであれば、発光色の違いで２つの状態を表すことができる。
【００５８】
なお、外部Ｉ／Ｏ３２としてディスプレイを備える場合は、配信許諾の有無等をディスプレイに表示しても良い。この場合は、ディスプレイが通知手段となる。
【００５９】
また、携帯受信端末２Ａは無線通信部３５を備える。無線通信部３５はアップリンク用送信デバイスの一例で、末端送信機３Ａの無線通信部２０と対になって無線通信手段を構成する。無線通信部３５は無線通信部２０と同じ通信機能を備えれば良く、例えばＢｌｕｅｔｏｏｔｈやＩＥＥＥ８０２．１１の使用が考えられる。なお、ＢｌｕｅｔｏｏｔｈとＩＥＥＥ８０２．１１は干渉しないので、２つの通信機能を備えてもよい。
【００６０】
なお、携帯受信端末２Ａは主記憶装置３６を備えても良い。主記憶装置３６は低速ストレージデバイスの一例で、ハードディスクドライブ装置等で構成され、キャッシュメモリ２６に格納したデータファイルを格納する。
【００６１】
主記憶装置３６はキャッシュメモリ２６より容量が大きく、末端送信機３Ａから配信されてキャッシュメモリ２６に格納されたコンテンツのデータファイルを、主記憶装置３６に移動して格納することで、携帯受信端末２Ａでコンテンツを保存できるようになる。
【００６２】
図３は第１の実施の形態のデータファイル更新配信センタ４Ａの構成例を示すブロック図で、次に、データファイル更新配信センタ４Ａの具体的な構成例について説明する。
【００６３】
データファイル更新配信センタ４Ａはサーバ装置の一例で、主記憶装置３７、システムコントローラ３８、メモリ３９、外部Ｉ／Ｏ４１を備える。主記憶装置３７は例えばハードディスクドライブ装置（ＨＤＤ）等で構成され、各末端送信機３Ａに配信するデータファイルを格納する。
【００６４】
システムコントローラ３８はＣＰＵ等で構成され、末端送信機３Ａへコンテンツを配信する際に、プログラムを実行することで実現される機能である配信管理手段としての直接３つ組管理機能３８ａによって、特定の携帯受信端末２Ａに対して指定されたコンテンツを指定された末端送信機３Ａで配信できるようにするための配信管理情報を作成し、コンテンツのデータファイルと共に所定の末端送信機３Ａへ配信する等の制御を行う。
【００６５】
メモリ３９はＲＡＭおよびＲＯＭ等で構成され、システムコントローラ３８で実行されるプログラム等を格納する。外部Ｉ／Ｏ４１は入出力手段の一例で、例えばディスプレイやキーボード等である。
【００６６】
更に、データファイル更新配信センタ４Ａはネットワーク通信部４２を備える。ネットワーク通信部４２は各末端送信機３Ａと例えばインターネットや専用回線等を介して接続され、各末端送信機３Ａとの間で通信を行う。
【００６７】
図４は携帯受信端末の構成例を示す外観斜視図で、図４（ａ）は携帯受信端末２Ａの正面側の構成を示し、図２（ｂ）は携帯受信端末２Ａの裏面側の構成を示す。
【００６８】
携帯受信端末２Ａは筐体の正面に例えば図２に示す外部Ｉ／Ｏ３２の一例としてディスプレイ４３を備える。また、ディスプレイ４３で再生するコンテンツの指定等を行うため操作部４４を備える。更に、携帯受信端末２Ａは筐体の正面に図２で説明したインジケータ３４を備える。なお、本例ではインジケータ３４は２個のランプで構成される。また、携帯受信端末２Ａは筐体の裏面に受光部２５を備える。
【００６９】
図５は末端送信機３Ａの構成例を示す外観斜視図で、図５（ａ）は末端送信機単体の状態を示し、図５（ｂ）は携帯受信端末２Ａが装着された状態を示す。
【００７０】
末端送信機３Ａは上面に携帯受信端末２Ａの装着部４５を備え、装着部４５に発光部１１を備える。また、装着部４５と並べて、例えば図２に示す外部Ｉ／Ｏ１９の一例としてディスプレイ４６を備えても良い。携帯受信端末２Ａへ配信するコンテンツが映像を含むものである場合は、ディスプレイ４６は例えば携帯受信端末２Ａへ配信するコンテンツの概要等を表示する。
【００７１】
なお、図５（ｂ）に示すように、携帯受信端末２Ａが末端送信機３Ａの装着部４５に装着された状態で、ディスプレイ４６が隠れないように各部の配置が設定される。
【００７２】
また、末端送信機３Ａは装着部４５に図２で説明した検出スイッチ２２を備える。図５（ｂ）に示すように、携帯受信端末２Ａが末端送信機３Ａの装着部４５に装着されると、検出スイッチ２２は携帯受信端末２Ａの存在を検出することができる。
【００７３】
更に、末端送信機３Ａは例えばディスプレイ４６に並べて図２で説明したインジケータ２４を備える。なお、本例ではインジケータ２４は２個のランプで構成される。
【００７４】
携帯受信端末２Ａのユーザは、図５（ｂ）に示すように携帯受信端末２Ａを末端送信機３Ａの装着部４５に装着して、後述するようにコンテンツの配信を受けようとする際に、配信許諾の有無等を末端送信機３Ａのインジケータ２４あるいは図４に示す携帯受信端末２Ａのインジケータ３４の状態、あるいは末端送信機３Ａのディスプレイ４６あるいは携帯受信端末のディスプレイ４３の表示で確認することができる。
【００７５】
なお、図４に示す携帯受信端末２Ａの受光部２５と図５に示す末端送信機３Ａの発光部１１は着脱自在に結合し、末端送信機３Ａから出射されたレーザ光を携帯受信端末２Ａで受光する。そして、ユーザが携帯受信端末２Ａを末端送信機３Ａの装着部４５にセットする際に、大まかな位置合わせをしてセットすれば、発光側と受光側の光軸が一致するような構成を備える。
【００７６】
例えば、光結合手段として、凸状のホルダと凹状のホルダを備える。凸ホルダは例えば半球状の凸球面で構成され、凹ホルダに嵌めると、光軸が一致する方向に位置合わせが行われる構成である。また、凸ホルダと凹ホルダに突き当てにより光軸を傾斜させずに互いを保持する突き当て面を備える。
【００７７】
これにより、携帯受信端末２Ａを末端送信機３Ａの装着部４５に置くだけで、携帯受信端末２Ａへコンテンツが配信できるようなシステムが構成される。
【００７８】
＜コンテンツ配信システムの動作例＞
図１〜図５で説明したコンテンツ配信システム１の動作の概要を説明すると、コンテンツのダウンロードを可能とする携帯受信端末２Ａを特定するため、データファイル更新配信センタ４Ａに対して事前にコンテンツの配信対象となる携帯受信端末２Ａを特定する情報が登録される。また、コンテンツのダウンロードを可能とする末端送信機３Ａを特定する情報が登録される。
【００７９】
データファイル更新配信センタ４Ａでは、事前に登録された情報から配信を管理する配信管理情報を作成し、コンテンツのデータファイルと共に所定の末端送信機３Ａへ配信する。そして、配信を受けた末端送信機３Ａでは、携帯受信端末２Ａからのダウンロード要求に対して、配信管理情報に従ってコンテンツの配信を行う。
【００８０】
図６はデータファイル更新配信センタでの処理例を示すフローチャートで、まず、データファイル更新配信センタ４Ａから末端送信機３Ａへコンテンツを配信する処理について説明する。
【００８１】
ステップＡ１：サービスの利用者である携帯受信端末２Ａのユーザは、データファイル更新配信センタ４Ａに対して、電話、インターネット等の通信手段を利用して、（ａ）自身の携帯受信端末２Ａの端末番号と、（ｂ）コンテンツを受け取りたい末端送信機３Ａの送信機番号と、（ｃ）受け取りたいコンテンツ名を通知する。
【００８２】
また、サービスの提供者側のシステムから、データファイル更新配信センタ４Ａに対して、インターネット等の通信手段を利用して、（ａ）コンテンツを配信したい携帯受信端末２Ａの端末番号と、（ｂ）コンテンツを配信したい末端送信機３Ａの送信機番号と、（ｃ）配信したいコンテンツ名が通知されても良い。更に、コンテンツを配信したい携帯受信端末２Ａの特定は、個々の端末番号でなく、例えば端末番号何番から何番まで等のクラスタ単位での指定でも良い。
【００８３】
ここで、ユーザから通知される情報と、サービス提供者側から通知される情報は等価であるので、以下の説明では、ユーザからの情報として説明する。
【００８４】
データファイル更新配信センタ４Ａのシステムコントローラ３８は、ユーザ等から通知された端末番号、送信機番号およびコンテンツのデータファイル名を対応付けて、主記憶部３７あるいはメモリ３９等に登録する。
【００８５】
ステップＡ２：データファイル更新配信センタ４Ａのシステムコントローラ３８は、末端送信機３Ａへのコンテンツの更新契機となったかチェックする。コンテンツの更新契機としては、例えば１時間ごと、毎月１日など、定期的なタイミングとする。
【００８６】
ステップＡ３：末端送信機３Ａへのコンテンツの更新契機となっていない場合は、ステップＡ１の処理に戻り、データファイル更新配信センタ４Ａのシステムコントローラ３８は、ユーザからの事前登録を継続する。更新契機となった場合はステップＡ４の処理を行う。
【００８７】
ステップＡ４：ステップＡ３の判断で末端送信機３Ａへのコンテンツの更新契機となった場合は、データファイル更新配信センタ４Ａのシステムコントローラ３８は、直接３つ組管理機能３８ａにより、図７に示す直接３つ組リストを作成する。
【００８８】
図７は配信管理情報の一例を示し、図７（ａ）は直接３つ組リスト、図７（ｂ）は末端送信機３Ａ毎の配信許諾端末番号テーブルである。
【００８９】
データファイル更新配信センタ４Ａでは、どのデータファイルをどの末端送信機３Ａに配信して、各末端送信機３Ａでどの携帯受信端末２Ａからのダウンロード要求に応答するかを、直接３つ組管理機能３８ａで制御、管理する。
【００９０】
このため、ユーザからの通知等を受けると、配信管理情報としてまず図７（ａ）に示す直接３つ組リスト１０１を作成する。直接３つ組リスト１０１は、ユーザ等から通知された携帯受信端末２Ａの端末番号（識別情報）、末端送信機３Ａの送信機番号（送信機情報）およびコンテンツのデータファイル名（コンテンツ特定情報）が対応付けられている。
【００９１】
図７（ａ）では、各行がそれぞれ異なる携帯受信端末２Ａのユーザから通知されたダウンロード要求の内容である。例えば、第１行は、「端末番号ＭＤ１０１の携帯受信端末２Ａのユーザが、送信機番号ＫＩＯＳＫ−３４５の末端送信機３Ａから、データファイル名ＤＦ−００８４５のデータファイルをダウンロードしたい。」という要求の登録内容である。
【００９２】
この直接３つ組リスト１０１から、各末端送信機３Ａ毎に配信すべきコンテンツを決定すると共に、配信を許諾する携帯受信端末２Ａとの対応付けを行って図７（ｂ）のテーブルを作成する。
【００９３】
例えば、図７（ａ）の直接３つ組リスト１０１では、送信機番号「ＫＩＯＳＫ−３４５」の末端送信機３Ａと、送信機番号「ＫＩＯＳＫ−３５８」の末端送信機３Ａが、異なるユーザからそれぞれコンテンツの配信を受けたい末端送信機として指定されている。
【００９４】
データファイル更新配信センタ４Ａのシステムコントローラ３８は、直接３つ組管理機能３８ａにより、直接３つ組リスト１０１から末端送信機３Ａ毎に端末番号とデータファイル名を対応付けたテーブルを作成する。
【００９５】
図７の例では、送信機番号「ＫＩＯＳＫ−３４５」の末端送信機３Ａに対してテーブル１０２−１が作成され、送信機番号「ＫＩＯＳＫ−３５８」の末端送信機３Ａに対してテーブル１０２−２が作成される。
【００９６】
ここで、各テーブル１０２は、端末番号とデータファイル名が対応付けられることで、どの携帯受信端末２Ａにどのコンテンツを配信して良いかを許諾する配信許諾情報となる。このため、テーブル１０２を配信許諾端末番号テーブルと称す。
【００９７】
ステップＡ５：データファイル配信更新センタ４Ａのシステムコントローラ３８は、直接３つ組管理機能３８ａにより、図７（ａ）に示す直接３つ組リスト１０１から、図７（ｂ）に示す各末端送信機毎の配信許諾端末番号テーブル１０２を作成し、該当データファイルと共に所定の末端送信機３Ａに配信する。
【００９８】
なお、データファイル更新配信センタ４Ａと各末端送信機３Ａは、インターネット等のネットワーク５以外に、衛星回線、物流で運ばれるハードディスク配布を含めた広い意味でのネットワークで接続され、データファイル更新配信センタ４Ａから所定の末端送信機３Ａにコンテンツのデータファイル等が配信される。
【００９９】
さて、図７（ａ）の直接３つ組リスト１０１では、データファイル名「ＤＦ−００８４５」のデータファイルについて、端末番号「ＭＤ−１０１」の携帯受信端末２Ａのユーザと、端末番号「ＭＤ２１１」の携帯受信端末２Ａのユーザから、送信機番号「ＫＩＯＳＫ−３４５」の末端送信機３Ａでのダウンロード要求を受けている。
【０１００】
このように、異なるユーザから同一のデータファイルに対して同一の末端送信機３Ａでのダウンロード要求がある場合に、データファイル更新配信センタ４Ａから該当末端送信機３Ａに同一のデータファイルを複数回配信する必要はない。例えば、送信機番号「ＫＩＯＳＫ−３４５」の末端送信機３Ａへは、データファイル名「ＤＦ−００８４５」のデータファイルを１つ配信するだけで良い。
【０１０１】
末端送信機３Ａから携帯受信端末２Ａへの配信処理は後述するが、例えば図７に示す端末番号「ＭＤ−１０１」の携帯受信端末２Ａと、端末番号「ＭＤ２１１」の携帯受信端末２Ａへデータファイル名「ＤＦ−００８４５」のデータファイルを配信する際には、末端送信機３Ａにおいて「ＤＦ−００８４５」のデータファイルの複製をそれぞれの携帯受信端末２Ａに対して行い、各携帯受信端末２Ａにダウンロードすることができる。
【０１０２】
なお、データファイル更新配信センタ４Ａでは、直接３つ組リスト１０１と各末端送信機３Ａ毎の配信許諾端末番号テーブル１０２は、主記憶装置３７あるいはメモリ３９等に格納される。
【０１０３】
また、各末端送信機３Ａでは、データファイル更新配信センタ４Ａからコンテンツのデータファイル本体と、自機に対応した配信許諾端末番号テーブル１０２の配信を受けると、主記憶装置１６あるいはメモリ１８等に格納する。そして、配信すべきコンテンツのデータファイルを所定の契機でキャッシュメモリ１２に格納し、発光部１１から出力可能な状態とする。
【０１０４】
図８および図９は末端送信機３Ａから携帯受信端末２Ａへの配信処理例を示すフローチャートで、次に、上述したようにデータファイル更新配信センタ４Ａから所定の末端送信機３Ａへ配信されたコンテンツを、末端送信機３Ａから携帯受信端末２Ａへ配信する動作について説明する。
【０１０５】
ステップＢ１：末端送信機３Ａのシステムコントローラ１７は、検出スイッチ２２が携帯受信端末２Ａを検出するまでは、レーザダイオード１５の駆動を停止し、データファイルの転送を行わない待機状態とする。
【０１０６】
ステップＢ２：ユーザは、端末受信端末２を図５に示す末端送信機３Ａの装着部４５にセットすべく、携帯受信端末２Ａを末端送信機３Ａに近づける。
【０１０７】
ステップＢ３：末端送信機３Ａのシステムコントローラ１７は、携帯受信端末２Ａからのアップリンクを無線通信部２０で受信し、接続が確立したかチェックする。
【０１０８】
ステップＢ４：末端送信機３Ａのシステムコントローラ１７は、携帯受信端末２Ａからのアップリンクによる接続が確立できない場合は、携帯受信端末２Ａが近くに存在しないと判断して処理を終了する。
【０１０９】
ステップＢ５：末端送信機３Ａのシステムコントローラ１７は、検出スイッチ２２が携帯受信端末２Ａの装着を検出したかチェックする。
【０１１０】
ステップＢ６：末端送信機３Ａのシステムコントローラ１７は、携帯受信端末２Ａの装着を検出できない場合は、携帯受信端末２Ａが末端送信機３Ａに装着されていないと判断して処理を終了する。
【０１１１】
ステップＢ７：末端送信機３Ａのシステムコントローラ１７は、携帯受信端末２Ａの装着を検出できた場合は、ダウンリンクキャリアとしてレーザダイオード１５を所定の強度で発光させる。なお、ここでの出力はデータとしての意味を持つ必要はない。
【０１１２】
ステップＢ８：携帯受信端末２Ａは末端送信機３Ａからのダウンリンクキャリアを検出したかチェックする。すなわち、末端送信機３Ａのレーザダイオード１５が発光しているので、携帯受信端末２Ａを末端送信機３Ａに正しく装着すると、フォトディテクタ２９にレーザ光が入射する。
【０１１３】
携帯受信端末２Ａでは、フォトディテクタ２９へレーザ光が入射したか否かをレーザセンサ３３で検出することで、携帯受信端末２Ａのシステムコントローラ３０はダウンキャリアの有無を検出する。
【０１１４】
ステップＢ９：携帯受信端末２Ａのシステムコントローラ３０は、フォトディテクタ２９にレーザ光が入射しておらずダウンリンクキャリアを検出できない場合は、携帯受信端末２Ａが末端送信機３Ａに正しくセットされていないと判断して処理を終了する。
【０１１５】
ステップＢ１０：携帯受信端末２Ａのシステムコントローラ３０は、ステップＢ９でダウンリンクキャリアを検出した場合は、携帯受信端末２Ａが末端送信機３Ａに正しくセットされたと判断して、インジケータ３４を例えば所定時間点灯させてユーザに通知する。
【０１１６】
また、ステップＢ１０の処理では、外部Ｉ／Ｏ３２を構成するディスプレイ４３に正しく装着された旨の文言を表示してもよい。
【０１１７】
ステップＢ１１：携帯受信端末２Ａのシステムコントローラ３０は、無線通信部３５で末端送信機３Ａの無線通信部２０からの接続確認信号を受信したかチェックする。
【０１１８】
ステップＢ１２：携帯受信端末２Ａのシステムコントローラ３０は、無線通信部３５で末端送信機３Ａからの接続確認信号を受信していない場合は、アップリンクが確立していないと判断して処理を終了する。
【０１１９】
ステップＢ１３：無線通信部３５による接続が確立していると、携帯受信端末２Ａのシステムコントローラ３０は、メモリ３１等に予め登録してある自機の端末番号を無線通信部３５を介して末端送信機３Ａに送信する。端末番号は識別情報の一例で、個々の携帯受信端末２Ａで固有の番号であり、末端送信機３Ａは携帯受信端末２Ａを識別することができる。
【０１２０】
ステップＢ１４：末端送信機３Ａのシステムコントローラ１７は、携帯受信端末２Ａから通知された端末番号が、メモリ１８等に格納した図７（ｂ）に示す配信許諾端末番号テーブル１０２に登録されているかチェックする。
【０１２１】
ステップＢ１５：携帯受信端末２Ａから通知された端末番号が、配信許諾端末番号テーブル１０２に登録されていない場合はステップＢ１６の処理を行い、登録されている場合はステップＢ１７の処理を行う。
【０１２２】
ステップＢ１６：携帯受信端末２Ａから通知された端末番号が、配信許諾端末番号テーブル１０２に登録されていない場合は、末端送信機３Ａのシステムコントローラ１７は、例えば外部Ｉ／Ｏ１９を構成するディスプレイ４６に、配信可否情報として端末番号が登録されておらず配信許諾されていない旨を表示し、処理を終了する。
【０１２３】
また、末端送信機３Ａの無線通信部２０から携帯受信端末２Ａの無線通信部３５への通信機能、あるいは、発光部１１から受光部２５への通信機能を利用して、端末番号が登録されていない旨の情報を携帯受信端末２Ａへ通知することで、端末番号が登録されていない旨を携帯受信端末２Ａのディスプレイ４３で表示することもできる。
【０１２４】
ステップＢ１７：ステップＢ１５の判断で、携帯受信端末２Ａから通知された端末番号が、配信許諾端末番号テーブル１０２に登録されている場合は、末端送信機３Ａのシステムコントローラ１７は、配信可否情報としてディスプレイ４６に端末番号が登録されており配信許諾されている旨を表示する。
【０１２５】
この場合も、末端送信機３Ａから携帯受信端末２Ａへの通信機能を利用して、端末番号が登録されている旨の情報を携帯受信端末２Ａへ通知することで、端末番号が登録されている旨を携帯受信端末２Ａのディスプレイ４３で表示することもできる。
【０１２６】
ステップＢ１８：携帯受信端末２Ａから通知された端末番号が、配信許諾端末番号テーブル１０２に登録されている場合は、末端送信機３Ａのシステムコントローラ１７は、配信許諾端末番号テーブル１０２に登録されている該当端末番号に対応したデータファイル名で特定されるデータファイルを送信する。
【０１２７】
すなわち、キャッシュメモリ１２に格納された該当データファイルをブリッジＩＣ１３で読み出し、シリアライザ１４でパラレルデータからシリアルデータに変換し、レーザダイオード１５で電気信号を光信号に変換して送信する。
【０１２８】
ステップＢ１９：携帯受信端末２Ａのシステムコントローラ３０は、末端送信機３Ａより受信したデータファイルをキャッシュメモリ２６に格納する。すなわち、受信した光信号をフォトディテクタ２９で電気信号に変換し、デシリアライザ２８でシリアルデータからパラレルデータに変換して、ブリッジＩＣ２７によりキャッシュメモリ２６に格納する。
【０１２９】
ステップＢ２０：携帯受信端末２Ａのシステムコントローラ３０は、受信したデータファイルが正常かチェックする。
【０１３０】
ステップＢ２１：受信したデータファイルが正常でない場合は、例えばステップＢ１８に戻り、正常に受信されるまで、あるいは検出スイッチ２２が携帯受信端末２Ａの装着を検出しなくなるまで、該当データファイルの送信が繰り返される。
【０１３１】
ステップＢ２２：携帯受信端末２Ａのシステムコントローラ３０は、受信したデータファイルが正常な場合は、受信処理を終了する。
【０１３２】
以上の処理で、あらかじめ指定した末端送信機３Ａに携帯受信端末２Ａを装着すると、携帯受信端末２Ａの端末番号によって指定されたデータファイルが、末端送信機３Ａから携帯受信端末２Ａへ送信され、携帯受信端末２Ａで受信される。そして、携帯受信端末２Ａのキャッシュメモリ２６に格納されたデータファイルは、例えばディスプレイ４３で表示される。
【０１３３】
＜データファイル更新配信センタの他の構成例＞
図１０は第２の実施の形態のデータファイル更新配信センタの構成例を示すブロック図で、次に、データファイル更新配信センタ４の他の構成例について説明する。図１０に示すデータファイル更新配信センタ４Ｂでは、コンテンツの配信を受けたい末端送信機３Ａの指定を、送信機番号に加えて、予め設定されている各末端送信機３Ａのプロパティ（属性）によって行えるようにしたものである。
【０１３４】
ここで、図１０において図３と同じ構成については同じ番号を付してここでは説明を省略する。
【０１３５】
システムコントローラ３８は、プログラムを実行することで実現される機能である配信管理手段としての間接３つ組管理機能３８ｂによって、ユーザ等のプロパティの指定から、このプロパティを満たす所定の末端送信機３Ａを決定して配信管理情報を作成し、コンテンツのデータファイルと共に該当末端送信機３Ａへ配信する等の制御を行う。
【０１３６】
末端送信機３Ａのプロパティとしては、以下のような例が考えられる。
（１）設置場所名
（２）設置地域名
（３）末端送信機機種名
（４）末端送信機の設置日時
（５）データファイルの種別で分けたサービス名
（６）扱えるデータファイルのサイズ別サービス名
（７）伝送速度別サービス名
（８）末端送信機の付加機能別サービス名
（９）末端送信機の高さ
システムコントローラ３８の間接３つ組管理機能３８ｂは、これらの中から指定された１つあるいは複数のプロパティから、該当する１つあるいは複数の末端送信機３Ａを特定する。
【０１３７】
このため、データファイル更新配信センタ４Ｂには、各末端送信機とそのプロパティを対応付けたテーブルが予め登録される。
【０１３８】
図１１は末端送信機毎にプロパティを対応付けたテーブルの一例を示す。図１１では、属性管理情報として各末端送信機３Ａ毎に設置場所と、設置地域と、機種名が対応付けて登録されている。
【０１３９】
例えば、送信機番号「ＫＩＯＳＫ−５４５」の末端送信機３Ａは、設置場所としてはＪＲ品川駅に設置され、設置地域としては港区に設置され、機種としてはＡ型であることが判る。
【０１４０】
データファイル更新配信センタ４Ｂのシステムコントローラ３８は、ユーザ等からコンテンツの配信を受けたい末端送信機を例えばその設置場所で指定された場合は、図１１のプロパティテーブル１０３によって該当する末端送信機３Ａを特定する。
【０１４１】
図１２は間接３つ組管理機能３８ｂにより作成される配信管理情報の一例を示し、図１２（ａ）は間接３つ組リスト、図１２（ｂ）は間接３つ組リストから抽出した直接３つ組リストである。
【０１４２】
データファイル更新配信センタ４Ｂでは、ユーザ等からコンテンツの配信を受けたい末端送信機の指定を受ける際、設置場所等のプロパティによる指定を受け付ける。
【０１４３】
これにより、ユーザ等からのダウンロード要求の登録を受けると、間接３つ組管理機能３８ｂにより、配信管理情報として、まず図１２（ａ）に示す間接３つ組リスト１０４を作成する。
【０１４４】
間接３つ組リスト１０４は、ユーザ等から通知された携帯受信端末２Ａの端末番号と、末端送信機３Ａのプロパティおよびコンテンツのデータファイル名が対応付けられている。図１２の例では、末端送信機３Ａを特定するプロパティとして設置地域あるいは設置場所を使用している。
【０１４５】
そして、間接３つ組管理機能３８ｂは、図１１に示すプロパティテーブル１０３と、図１２（ａ）の間接３つ組リスト１０４から、実際にコンテンツを配信する末端送信機３Ａを特定して、図１２（ｂ）の直接３つ組リスト１０５を作成する。
【０１４６】
例えば、コンテンツの配信を受けたい末端送信機として、港区に設置されている末端送信機と指定されると、図１１の例では、送信機番号「ＫＩＯＳＫ−５４５」の末端送信機が特定される。
【０１４７】
また、品川区に設置されている末端送信機と指定されると、図１１の例では、送信機番号「ＫＩＯＳＫ−５４６」の末端送信機と、送信機番号「ＫＩＯＳＫ−５４７」の末端送信機が特定される。このように、指定されたプロパティによっては、複数の末端送信機３Ａが特定される場合もある。
【０１４８】
更に、ＪＲ五反田駅に設置されている末端送信機と指定されると、図１１の例では送信機番号「ＫＩＯＳＫ−５４７」の末端送信機が特定される。
【０１４９】
そして、図１２（ｂ）に示す直接３つ組リスト１０５から、図７（ｂ）に示す各末端送信機毎の配信許諾テーブル１０２を作成する。
【０１５０】
なお、以上の例では１つのプロパティが指定されたものとしたが、複数のプロパティが指定されても良い。この場合、複数のプロパティは、「かつ（ａｎｄ）」、「または（ｏｒ）」等の論理演算で合成される。
【０１５１】
例えば、図１１の例では、「設置地域が品川区で、かつ、機種がＡ型であるもの」というような指定ができる。あるいは、「設置場所がＪＲ品川駅またはＪＲ五反田駅」というような指定ができる。
【０１５２】
図１３は第２の実施の形態のデータファイル更新配信センタでの処理例を示すフローチャートで、上述したようにプロパティ指定から末端送信機３Ａを特定して該当末端送信機３Ａへコンテンツを配信する処理について説明する。
【０１５３】
ステップＣ１：携帯受信端末２Ａのユーザ等は、データファイル更新配信センタ４Ｂに対して、電話、インターネット等の通信手段を利用して、（ａ）自身の携帯受信端末２Ａの端末番号と、（ｂ）コンテンツを受け取りたい末端送信機３Ａのプロパティ情報と、（ｃ）受け取りたいコンテンツ名を通知する。
【０１５４】
ステップＣ２：データファイル更新配信センタ４Ｂのシステムコントローラ３８は、末端送信機３Ａへのコンテンツの更新契機となったかチェックする。コンテンツの更新契機としては、図６のフローチャートと同じ定期的なタイミングである。
【０１５５】
ステップＣ３：末端送信機３Ａへのコンテンツの更新契機となっていない場合は、ステップＣ１の処理に戻り、データファイル更新配信センタ４Ｂのシステムコントローラ３８は、ユーザからの事前登録を継続する。更新契機となった場合はステップＣ４の処理を行う。
【０１５６】
ステップＣ４：ステップＣ３の判断で末端送信機３Ａへのコンテンツの更新契機となった場合は、データファイル更新配信センタ４Ｂのシステムコントローラ３８は、間接３つ組管理機能３８ｂにより、図１２（ａ）に示す間接３つ組リスト１０４から、図１１に示すプロパティテーブル１０３を参照してプロパティを満たす末端送信機群を抽出する。
【０１５７】
ステップＣ５：データファイル更新配信センタ４Ｂのシステムコントローラ３８は、間接３つ組管理機能３８ｂにより、図１２（ｂ）に示す直接３つ組リスト１０５を作成する。
【０１５８】
ステップＣ６：データファイル配信更新センタ４Ｂのシステムコントローラ３８は、間接３つ組管理機能３８ｂにより、図１２（ｂ）に示す直接３つ組リスト１０５から、図７（ｂ）に示すような各末端送信機毎の配信許諾テーブル１０２を作成し、該当データファイルと共に所定の末端送信機３Ａに配信する。
【０１５９】
なお、携帯受信端末２Ａからのダウンロード要求に対する末端送信機３Ａからのコンテンツ配信処理、データファイルの削除処理等は上述した通りである。
【０１６０】
以上のように、プロパティによりコンテンツの配信を受けたい末端送信機３Ａを指定できるので、末端送信機の送信機番号を知らなくても、コンテンツの配信を受けたい末端送信機を指定できる。
【０１６１】
また、サービスの提供者は、地域限定等でコンテンツを配信でき、コンテンツの配信をコントロールできる。
【０１６２】
＜コンテンツ配信システムの他の構成例＞
データファイル更新配信センタ４Ａ，４Ｂでは、どの末端送信機３Ａにどのデータファイルを配信したのかの情報が各３つ組リストや配信許諾端末番号テーブル等により記録される。これらの情報を、全ての末端送信機３Ａに配信することで、各末端送信機３Ａでは、他の末端送信機３Ａがどのデータファイルの配信可能か認識可能となる。
【０１６３】
これにより、例えば、図９のフローチャートのステップＢ１６で、携帯受信端末２Ａから通知された端末番号が、配信許諾端末番号テーブルに登録されていない場合に、端末番号が登録されていない旨を表示すると共に、データファイルの指定を受ければ、どの末端送信機３Ａで配信を受けることが可能かをガイドできる。
【０１６４】
この場合は、携帯受信端末２Ａが装着された末端送信機３Ａ等で、この携帯受信端末２Ａの端末番号と、データファイル名を対応付ける処理を行う。なお、データファイル名の指定は、例えば、携帯受信端末２Ａの操作、あるいは末端送信機３Ａの操作で可能である。
【０１６５】
そして、端末番号とデータファイル名を対応付けた情報を、該当コンテンツを保存してある末端送信機３Ａに送信することで、携帯受信端末２Ａを該当末端送信機３Ａに装着すれば、所望のコンテンツの配信を受けることが可能となる。
【０１６６】
ここで、末端送信機３Ａで携帯受信端末２Ａの端末番号とデータファイル名を対応付ける処理を行うため、配信情報管理手段として、各末端送信機３Ａに図３で説明したデータファイル管理配信センタ４Ａに備えた直接３つ組管理機能あるいは図１０で説明したデータファイル管理配信センタ４Ｂに備えた間接３つ組管理機能を備える。また、各末端送信機３Ａ間で通信する通信機能を備える。
【０１６７】
これにより、携帯受信端末２Ａの操作等で端末番号およびデータファイル名の指定を受け、ある末端送信機３Ａで３つ組リストから配信許諾端末番号テーブルを作成して、該当コンテンツを保存してある他の末端送信機３Ａに送信することができる。ここで、コンテンツのデータファイルは、全ての末端送信機３Ａで共通に保存している必要はない。
【０１６８】
あるいは、ある末端送信機３Ａにおいて携帯受信端末２Ａの操作等で指定を受けた端末番号およびデータファイル名を、該当コンテンツを保存してある他の末端送信機３Ａに送信し、この末端送信機３Ａで３つ組リストから配信許諾端末番号テーブルを作成して、特定の携帯受信端末２に対してコンテンツの配信を許諾できる。
【０１６９】
以上のように、末端送信機３Ａ間で通信を行うことで、データファイル更新配信センタ４Ａ等を介さず特定の携帯受信端末２に対してコンテンツの配信を許諾できる。
【０１７０】
なお、ある末端送信機３Ａにおいて携帯受信端末２Ａの操作等で端末番号およびデータファイル名の指定を受け、この情報をデータファイル更新配信センタ４Ａ等に通知して特定の携帯受信端末２に対してコンテンツの配信を許諾しても良い。
【０１７１】
＜末端送信機と携帯受信端末の他の構成例＞
以上の例では、ダウンリンクチャネルをレーザを使用した空間伝送による光通信で実現し、アップリンクチャネルは無線通信で実現したが、ダウンリンクチャネルをレーザを使用した空間伝送による光通信で実現し、アップリンクチャネルを赤外線を利用した別の光通信で実現しても良い。更に、ダウンリンクチャネルとアップリンクチャネルをレーザを使用した空間伝送による双方向の光通信で実現しても良い。
【０１７２】
また、ダウンリンクチャネルとアップリンクチャネルの双方を無線通信で実現しても良いし、更には電気ケーブル等を利用した有線通信で実現して良い。
【０１７３】
次にダウンリンクチャネルとアップリンクチャネルの双方を無線通信で実現した末端送信機と携帯受信端末の例について説明する。
【０１７４】
図１４は第２の実施の形態のコンテンツ配信システムの概要を示す構成図である。第２の実施の形態のコンテンツ配信システム１Ｂを構成する末端送信機３Ｂは、６０ＧＨｚ等のミリ波帯電波を送信する送信部を備える。また、携帯受信端末２Ｂは、ミリ波帯電波を受信する受信部と、端末の向きが末端送信機３Ｂを向いているか否かをユーザに認識させるインデックスレーザ用のレーザ光の発光手段を備える。
【０１７５】
ミリ波帯電波は直進性がありかつ多くの情報を伝送できるが、指向性が高いので、送信側と受信側の位置合わせが重要となる。本例では、携帯受信端末２Ｂをインデックスレーザが末端送信機３Ｂを照射する向きとすると、末端送信機３Ｂからの電波を受信できる位置関係となるようにして、簡単な構成でコンテンツ等の配信を可能とする。
【０１７６】
図１５は第２の実施の形態のコンテンツ配信システムの構成例を示すブロック図、図１６は末端送信機の構成例を示す一部破断斜視図で、次に末端送信機３Ｂおよび携帯受信端末２Ｂの具体的構成例について説明する。
【０１７７】
末端送信機３Ｂは、天井、壁面あるいは床面等に設置され、送信部５１、キャッシュメモリ５２、ブリッジＩＣ５３、シリアライザ５４を備える。なお、図１４では天井に設置した例を示す。
【０１７８】
送信部５１はダウンリンク用送信デバイスの一例で、第１の無線通信手段を構成する。送信部５１は６０ＧＨｚ帯等のミリ波帯電波を出力するアンテナ等を備える。
【０１７９】
キャッシュメモリ５２はいわゆる高速ストレージデバイスの一例で、ＲＡＭ等で構成され、送信部５１から出力するコンテンツのデータファイルを格納する。
【０１８０】
ブリッジＩＣ５３はキャッシュメモリ５２からデータファイルを読み出す。また、キャッシュメモリ５２にデータファイルを書き込む。
【０１８１】
シリアライザ５４はキャッシュメモリ５２からブリッジＩＣ５３により読み出されたデータファイルを、パラレルデータからシリアルデータに変換して送信部５１に送る。
【０１８２】
また、末端送信機３Ｂは主記憶装置５６、システムコントローラ５７、メモリ５８、外部Ｉ／Ｏ５９を備える。主記憶装置５６はいわゆる低速ストレージデバイスの一例で、例えばハードディスクドライブ装置（ＨＤＤ）等で構成され、キャッシュメモリ５２に格納するデータファイルを格納する。
【０１８３】
システムコントローラ５７はＣＰＵ等で構成され、ダウンロード要求のあった携帯受信端末２Ｂが配信許諾されているか否かの判断、およびキャッシュメモリ５２に格納した所定のデータファイルの送信部５１からの出力等の制御を行う。
【０１８４】
メモリ５８はＲＡＭおよびＲＯＭ等で構成され、システムコントローラ５７で実行されるプログラム等を格納する。外部Ｉ／Ｏ５９は入出力手段の一例で、例えばディスプレイである。
【０１８５】
更に、末端送信機３Ｂは、無線通信部６０とネットワーク通信部６１を備える。無線通信部６０はアップリンク用受信デバイスの一例で、第２の無線通信手段を構成する。無線通信部６０は携帯受信端末２Ｂと通信を行うので、近距離通信が出来れば良く、例えばＢｌｕｅｔｏｏｔｈやＩＥＥＥ８０２．１１の使用が考えられる。
【０１８６】
ネットワーク通信部６１は、図３等で説明したデータファイル更新配信センタ４Ａと例えばインターネットや専用回線等を介して接続され、データファイル更新配信センタ４Ａとの間で通信を行う。
【０１８７】
また、末端送信機３Ｂは、インデックスセンサ６２、視認用ライト６３、インジケータ６４を備える。インデックスセンサ６２は装着検出手段の一例で、図１６に示すように送信部５１の図示しないアンテナに隣接して配置される。インデックスセンサ６２は例えば受光素子を備えた光センサ等で構成される。
【０１８８】
視認用ライト６３は位置確認手段の一例で、図１６に示すように送信部５１の図示しないアンテナに隣接して配置される。ここで、末端送信機３Ｂは、視認用ライト６３を目視できる位置を、電波受信可能範囲内で規制するため、図１６に示すようにライトガイド５５を備える。
【０１８９】
ライトガイド５５は円錐型あるいは円筒型のカバーであり、図１４に示すように末端送信機３Ｂが天井に設置されている場合は、末端送信部３Ｂの下に位置すると、ユーザは視認用ライト６３を目視できるようになる。
【０１９０】
ユーザが視認用ライト６３を目視できる位置では、所定の位置に携帯受信端末２Ｂを配置することで、送信部５１からの指向性の高い電波が受信可能な状態となる。これに対して、ライトガイド５５により視認用ライト６３を目視できない位置では、送信部５１からの電波が受信不可能であることを認識できる。
【０１９１】
インジケータ６４は通知手段の一例で、例えば発光ダイオード等のランプで構成され、通信状態や配信許諾の有無等をユーザに通知する。
【０１９２】
ここで、インデックスセンサ６２で後述する携帯受信端末２Ｂからのインデックスレーザ光を検出すると、視認用ライト６３の点灯状態を変化させても良い。この場合は、視認用ライト６３が通知手段となる。このため本例では、視認用ライト６３は２色の異なる色で発光できる構成とする。
【０１９３】
次に、携帯受信端末２Ｂの構成について説明する。携帯受信端末２Ｂは受信部６５、キャッシュメモリ６６、ブリッジＩＣ６７、デシリアライザ６８を備える。受信部６５はダウンリンク用受信デバイスの一例で、送信部５１と対になって第１の無線通信手段を構成する。受信部６５は６０ＧＨｚ帯等のミリ波帯電波を受信するアンテナ等を備える。
【０１９４】
キャッシュメモリ６６は高速ストレージデバイスの一例で、ＲＡＭ等で構成され、末端送信機３Ｂから受信したデータファイルを格納する。ブリッジＩＣ６７はキャッシュメモリ６６にデータファイルを書き込む。また、キャッシュメモリ６６からデータファイルを読み出す。
【０１９５】
デシリアライザ６８は受信部６５で受信したデータファイルを、シリアルデータからパラレルデータに変換してブリッジＩＣ６７に送る。
【０１９６】
また、携帯受信端末２Ｂはシステムコントローラ７０、メモリ７１、外部Ｉ／Ｏ７２を備える。システムコントローラ７０はＣＰＵ等で構成され、受信部６５で受信したデータファイルのキャッシュメモリ６６への格納、キャッシュメモリ６６に格納したデータファイルの読み出し等の制御を行う。メモリ７１はＲＡＭおよびＲＯＭ等で構成され、システムコントローラ７０で実行されるプログラム等を格納する。外部Ｉ／Ｏ７２は入出力手段の一例で、例えばディスプレイである。
【０１９７】
更に、携帯受信端末２Ｂはインデックスレーザ６９と電波センサ７３とインジケータ７４を備える。インデックスレーザ６９は位置確認手段の一例で、可視光レーザあるいは指向性のある可視光を照射する。
【０１９８】
ここで、インデックスレーザ光が末端送信機３Ｂのインデックスセンサ６２を照射したときに、受信部６５が送信部５１からの電波を正しく受信できる位置関係となるように各部の配置が決定される。このため、例えば受信部６５の図示しないアンテナと、インデックスレーザ６５から出射されるレーザ光の向きが鉛直となるように配置される。
【０１９９】
電波センサ７３は検出手段の一例で、受信部６５で電波を受信したか否かを検出する。インジケータ７４は通知手段の一例で、例えば発光ダイオード等のランプで構成され、通信状態や配信許諾の有無等をユーザに通知する。
【０２００】
また、携帯受信端末２Ｂは無線通信部７５を備える。無線通信部７５はアップリンク用送信デバイスの一例で、末端送信機３Ｂの無線通信部６０と対になって第２の無線通信手段を構成する。無線通信部７５は無線通信部６０と同じ通信機能を備えれば良く、例えばＢｌｕｅｔｏｏｔｈやＩＥＥＥ８０２．１１の使用が考えられる。
【０２０１】
なお、携帯受信端末２Ｂは主記憶装置７６を備えても良い。主記憶装置７６は低速ストレージデバイスの一例で、ハードディスクドライブ装置等で構成され、キャッシュメモリ６６に格納したデータファイルを格納する。
【０２０２】
主記憶装置７６はキャッシュメモリ６６より容量が大きく、末端送信機３Ｂから配信されてキャッシュメモリ６６に格納されたコンテンツのデータファイルを、主記憶装置７６に移動して格納することで、携帯受信端末２Ｂでコンテンツを保存できるようになる。
【０２０３】
末端送信機３Ｂと携帯受信端末２Ｂの動作の概要を説明する。なお、末端送信機３Ｂへのコンテンツの配信処理は、図６等で説明した処理と同じである。
【０２０４】
まず、末端送信機３Ｂのシステムコントローラ５７は、視認用ライト６３を例えば赤色で点灯させておく。
【０２０５】
携帯受信端末２Ｂのユーザは、視認用ライト６３が目視できる位置に移動する。上述したように、末端送信機３Ｂに備えたライトガイド５５によって、ユーザは末端送信機３Ｂに対して所定の位置に来ないと、視認用ライト６３を目視できない。これにより、自身が携帯受信端末２Ｂを利用してコンテンツ配信を受けられる位置にいるか否かを認識できる。
【０２０６】
携帯受信端末２Ｂのユーザは、視認用ライト６３が目視できる位置で、インデックスレーザ６９のレーザ光で末端送信部３Ｂを照射できるように、携帯受信端末２Ｂの向きを調整する。
【０２０７】
インデックスレーザ６９のレーザ光は可視光であるので、ユーザは容易に携帯受信端末２Ｂを所定の向きに調整できる。
【０２０８】
末端端末装置３Ｂのシステムコントローラ５７は、インデックスセンサ６２が光を検出すると、携帯受信端末２Ｂが電波の受信可能範囲に位置したと判断して、視認用ライト６３の点灯色を例えば緑に切り替える。
【０２０９】
これにより、ユーザは携帯受信端末２Ｂが電波の受信ができる状態になったと認識できる。
【０２１０】
また、末端送信機３Ｂに携帯受信端末２Ｂが接近したことで、末端送信部３Ｂの無線通信部６０と携帯受信端末２Ｂの無線通信部７５の通信が行われ、携帯受信端末２Ｂからのアップリンクで自機の端末番号を末端送信部３Ｂに通知する。
【０２１１】
ここで、末端送信機３Ｂには、図３のデータファイル更新配信センタ４Ａから図７で説明した配信許諾端末番号テーブルとコンテンツのデータ本体が配信されてキャッシュメモリ５２等に保存されている。
【０２１２】
システムコントローラ５７は、携帯受信端末２Ｂから通知された端末番号が図７で説明した配信許諾端末番号テーブルに登録されているか否かチェックする。
【０２１３】
そして、携帯受信端末２Ｂから通知された端末番号が配信許諾端末番号テーブルに登録されている場合は、配信許諾端末番号テーブルで特定される該当コンテンツのデータファイルを送信部５１から出力する。
【０２１４】
末端送信機３Ｂの送信部５１から出力されたデータファイルは、携帯受信端末２Ｂの受信部６５で受信され、キャッシュメモリ６６等に格納される。
【０２１５】
これにより、末端送信機３Ｂと携帯受信端末２Ｂの間で、無線通信によってコンテンツの配信が行われる。なお、無線通信部に代えて、インデックスレーザ６９とインデックスセンサ６２をアップリンク用の通信手段としても良い。
【産業上の利用可能性】
【０２１６】
本発明は、不特定多数のユーザがコンテンツ受信装置を所有し、街頭等にコンテンツ送信装置を設置して、短時間で大容量のコンテンツを配信できるシステムの実現に好適である。
【図面の簡単な説明】
【０２１７】
【図１】本実施の形態のコンテンツ配信システムの概要を示す構成図である。
【図２】第１の実施の形態のコンテンツ配信システムの構成例を示すブロック図である。
【図３】第１の実施の形態のデータファイル更新配信センタの構成例を示すブロック図である。
【図４】携帯受信端末の構成例を示す外観斜視図である。
【図５】末端送信機の構成例を示す外観斜視図である。
【図６】データファイル更新配信センタでの処理例を示すフローチャートである。
【図７】配信管理情報の一例を示し、図７（ａ）は直接３つ組リスト、図７（ｂ）は末端送信機３Ａ毎の配信許諾端末番号テーブルである。
【図８】末端送信機から携帯受信端末への配信処理例を示すフローチャートである。
【図９】末端送信機から携帯受信端末への配信処理例を示すフローチャートである。
【図１０】第２の実施の形態のデータファイル更新配信センタの構成例を示すブロック図である。
【図１１】末端送信機毎にプロパティを対応付けたテーブルの一例である。
【図１２】間接３つ組管理機能により作成される配信管理情報の一例を示し、図１２（ａ）は間接３つ組リスト、図１２（ｂ）は間接３つ組リストから抽出した直接３つ組リストである。
【図１３】第２の実施の形態のデータファイル更新配信センタでの処理例を示すフローチャートである。
【図１４】第２の実施の形態のコンテンツ配信システムの概要を示す構成図である。
【図１５】第２の実施の形態のコンテンツ配信システムの構成例を示すブロック図である。
【図１６】末端送信機の構成例を示す一部破断斜視図である。
【符号の説明】
【０２１８】
１・・・コンテンツ配信システム、２・・・携帯受信端末、３・・・末端送信機、４・・・データファイル更新配信センタ、１１・・・発光部、１２・・・キャッシュメモリ、１３・・・ブリッジＩＣ、１４・・・シリアライザ、１５・・・レーザダイオード、１６・・・主記憶装置、１７・・・システムコントローラ、１８・・・メモリ、１９・・・外部Ｉ／Ｏ、２０・・・無線通信部、２１・・・ネットワーク通信部、２２・・・検出スイッチ、２４・・・インジケータ、２５・・・受光部、２６・・・キャッシュメモリ、２７・・・ブリッジＩＣ、２８・・・デシリアライザ、２９・・・フォトディテクタ、３０・・・システムコントローラ、３１・・・メモリ、３２・・・外部Ｉ／Ｏ、３３・・・レーザセンサ、３４・・・インジケータ、３５・・・無線通信部、３６・・・主記憶装置、３７・・・主記憶装置、３８・・・システムコントローラ、３９・・・メモリ、４１・・・外部Ｉ／Ｏ、４２・・・ネットワーク通信部、４３・・・ディスプレイ、４４・・・操作部、４５・・・装着部、４６・・・ディスプレイ
【図１】
2005339024.tif 000003
【図２】
2005339024.tif 000004
【図３】
2005339024.tif 000005
【図４】
2005339024.tif 000006
【図５】
2005339024.tif 000007
【図６】
2005339024.tif 000008
【図７】
2005339024.tif 000009
【図８】
2005339024.tif 000010
【図９】
2005339024.tif 000011
【図１０】
2005339024.tif 000012
【図１１】
2005339024.tif 000013
【図１２】
2005339024.tif 000014
【図１３】
2005339024.tif 000015
【図１４】
2005339024.tif 000016
【図１５】
2005339024.tif 000017
【図１６】
2005339024.tif 000018